【手続補正書】
【提出日】平成28年3月3日(2016.3.3)
【手続補正１】
【補正対象書類名】特許請求の範囲
【補正対象項目名】全文
【補正方法】変更
【補正の内容】
【特許請求の範囲】
【請求項１】
画像を入力する入力手段と、
画質を調整するためのパラメータと、当該パラメータを適用して画質を調整する場合の基準となる基準環境情報と、前記画像の撮影時の環境を示す撮影時環境情報とを取得する取得手段と、
前記画像を前記パラメータを用いて調整する調整手段と、
前記基準環境情報と前記撮影時環境情報との差異に基づき、前記パラメータによる調整の要否を判定する判定手段と、を有することを特徴とする画像処理装置。
【請求項２】
前記基準環境情報と前記撮影時環境情報との差異が所定の範囲に収まらない場合に警告を行う警告手段をさらに有することを特徴とする請求項１に記載の画像処理装置。
【請求項３】
前記基準環境情報と前記撮影時環境情報との差異が所定の範囲に収まらない場合に、前記パラメータを補正する補正手段をさらに有することを特徴とする請求項１または２に記載の画像処理装置。
【請求項４】
前記基準環境情報と前記撮影時環境情報との差異に基づき、前記パラメータが補正できるか否かを判定し、前記パラメータが補正できないと判定された場合にその旨を通知する通知手段をさらに有することを特徴とする請求項１に記載の画像処理装置。
【請求項５】
前記補正手段により補正されたパラメータを記録する記録手段をさらに有することを特徴とする請求項３に記載の画像処理装置。
【請求項６】
前記基準環境情報および前記撮影時環境情報は、色温度に関する情報であることを特徴とする請求項１乃至５のいずれか１項に記載の画像処理装置。
【請求項７】
画像を入力する入力手段と、
画質を調整するためのパラメータと、当該パラメータを適用して画質を調整する場合の基準となる基準環境情報と、前記画像の撮影時の環境を示す撮影時環境情報とを取得する取得手段と、
前記画像を前記パラメータを用いて調整する調整手段と、
前記基準環境情報と前記撮影時環境情報との差異に基づき、前記パラメータを補正する補正手段と、を有することを特徴とする画像処理装置。
【請求項８】
前記基準環境情報および前記撮影時環境情報は、色温度に関する情報であることを特徴とする請求項７に記載の画像処理装置。
【請求項９】
画質を調整するためのパラメータと、前記パラメータを適用して画質を調整する場合の基準となる基準環境情報とを設定する設定手段と、
撮影手段と、
前記設定手段で設定された前記パラメータと前記環境情報とを、前記撮影手段で得られた画像に関連付けて記録媒体に記録する記録手段と、を有することを特徴とする画像処理装置。
【請求項１０】
前記撮影手段で得られた画像の撮影の環境を示す撮影時環境情報を取得する取得手段をさらに有し、
前記記録手段は、前記撮影時環境情報を、前記画像に関連付けて記録することを特徴とする請求項９に記載の画像処理装置。
【請求項１１】
前記基準環境情報および前記撮影時環境情報は、色温度に関する情報であることを特徴とする請求項１０に記載の画像処理装置。
【請求項１２】
入力手段が、画像を入力するステップと、
取得手段が、画質を調整するためのパラメータと、当該パラメータを適用して画質を調整する場合の基準となる基準環境情報と、前記画像の撮影時の環境を示す撮影時環境情報とを取得するステップと、
調整手段が、前記画像を前記パラメータを用いて調整するステップと、
判定手段が、前記基準環境情報と前記撮影時環境情報との差異に基づき、前記パラメータによる調整の要否を判定するステップと、を有することを特徴とする画像処理方法。
【請求項１３】
入力手段が、画像を入力するステップと、
取得手段が、画質を調整するためのパラメータと、当該パラメータを適用して画質を調整する場合の基準となる基準環境情報と、前記画像の撮影時の環境を示す撮影時環境情報とを取得するステップと、
補正手段が、前記画像を前記パラメータを用いて調整するステップと、
前記基準環境情報と前記撮影時環境情報との差異に基づき、前記パラメータを補正するステップと、を有することを特徴とする画像処理方法。
【請求項１４】
設定手段が、画質を調整するためのパラメータと、前記パラメータを適用して画質を調整する場合の基準となる基準環境情報とを設定するステップと、
記録手段が、前記設定された前記パラメータと前記環境情報とを、撮影して得られた画像に関連付けて記録媒体に記録するステップと、を有することを特徴とする画像処理方法。
【請求項１５】
コンピュータを、請求項１乃至１１のいずれか１項に記載された画像処理装置の各手段として機能させるためのプログラム。
【請求項１６】
コンピュータを、請求項１乃至１１のいずれか１項に記載された画像処理装置の各手段として機能させるためのプログラムを格納した記憶媒体。
【手続補正２】
【補正対象書類名】明細書
【補正対象項目名】０００９
【補正方法】変更
【補正の内容】
【０００９】
上記課題を解決し、目的を達成するために、本発明の画像処理装置は、画像を入力する入力手段と、画質を調整するためのパラメータと、当該パラメータを適用して画質を調整する場合の基準となる基準環境情報と、前記画像の撮影時の環境を示す撮影時環境情報とを取得する取得手段と、前記画像を前記パラメータを用いて調整する調整手段と、前記基準環境情報と前記撮影時環境情報との差異に基づき、前記パラメータによる調整の要否を判定する判定手段と、を有する。
【手続補正３】
【補正対象書類名】明細書
【補正対象項目名】００１０
【補正方法】変更
【補正の内容】
【００１０】
本発明によれば、カラーグレーディング等の画像の質感を調整する処理に用いるパラメータを、画像から得られる環境情報と関連付けて記録できるため、画像に適したパラメータを選択し、所望の質感の画像を高速に作成することができる。
【手続補正４】
【補正対象書類名】明細書
【補正対象項目名】００４０
【補正方法】変更
【補正の内容】
【００４０】
一方、ＷＢ増幅部１０５２は、ホワイトバランス処理後の画像を色空間変換部１０５６へも出力する。色空間変換部１０５６は撮影された画像データのＲＧＢ値を所定の規格のＲＧＢ値に変換する。
【手続補正５】
【補正対象書類名】明細書
【補正対象項目名】００４２
【補正方法】変更
【補正の内容】
【００４２】
システム制御部１５０は、光源やレンズの色味など、カラーバランスが変化する要因となる情報を参照し、色再現性の補正処理のパラメータを決定する。例えば、光学情報を利用する場合、日中太陽光下や、Ａ光源下など複数の光源毎にＡＣＥＳ規格に基づく色再現となるパラメータを予め用意しておく。そして、システム制御部１５０が、光学情報に対応する色補正パラメータを選択し、色空間変換部１０５６に出力する。色空間変換部１０５６は、色補正パラメータに基づき色再現性の補正処理を行い、変換後のＡＣＥＳ＿ＲＧＢ信号を出力する。
【手続補正６】
【補正対象書類名】明細書
【補正対象項目名】００７５
【補正方法】変更
【補正の内容】
【００７５】
ステップＳ７０４では、システム制御部１５０は、図３の処理を用いて現在の処理対象の画像撮影時の被写体情報、光学情報及び画像処理情報を取得する。
【手続補正７】
【補正対象書類名】図面
【補正対象項目名】図１
【補正方法】変更
【補正の内容】
【図１】
2014171127.tif 000001
【手続補正８】
【補正対象書類名】図面
【補正対象項目名】図９
【補正方法】変更
【補正の内容】
【図９】
2014171127.tif 000002
【手続補正９】
【補正対象書類名】図面
【補正対象項目名】図１０
【補正方法】変更
【補正の内容】
【図１０】
2014171127.tif 000003
【手続補正１０】
【補正対象書類名】図面
【補正対象項目名】図１３
【補正方法】変更
【補正の内容】
【図１３】
2014171127.tif 000004
【手続補正１１】
【補正対象書類名】図面
【補正対象項目名】図１５
【補正方法】変更
【補正の内容】
【図１５】
2014171127.tif 000005